(57)【要約】【課題】  電源釦の誤操作のおそれがなく、薄形化できる撮像操作部構造を有する撮像装置を得る。【解決手段】  ベース４８上に、背面２０-2と側面２０-4に近く配されるＰＯＷＥＲボタン３７と前面２０-1の近くに配されるシャッターボタン３６とを一まとめにするとともに、これらボタン３６，３７を略Ｓ字形の頂部４９ａにより２分割されたそれぞれの領域に形成された斜面に、これらボタン３６，３７の上面を斜面から大きく突出させないように配設し、デジタルスチルカメラ２０を構えたとき、シャッターボタン３６を押す人差し指が第１関節を第２関節によってＰＯＷＥＲボタン３７を跨ぐようにし、斜面によって自然にシャッターボタン３６に指先が導かれるようにするとともに、ＰＯＷＥＲボタン３７の押下ストロークを大きくすることにより接点の誤作動が起こりにくいようにした。【選択図】  図１
2006060702.tif 000002
【特許請求の範囲】
【請求項１】
略直方体の形状をし、第１の主面に撮像レンズを有し、前記第１の主面の対面にある第２の主面に画像モニタを有し、前記第１の主面と前記第２の主面の上側の面に撮像操作子を有するように構成した撮像装置において、
前記上側の面に、前記撮像装置の電源釦と前記撮像操作子とを一まとめとした凸部を設けるとともに、
前記電源釦の配設領域と前記撮像操作子の配設領域との間に、上方から見たとき略Ｓ字形状をなす頂部を設けた
ことを特徴とする撮像装置。
【請求項２】
請求項１に記載の撮像装置において、
前記電源釦の配設領域は、前記上側の面の前記第２の主面と側面に近い端部に配置されるとともに、前記略Ｓ字形の頂部と前記第２の主面との間に第１の斜面が形成され、該第１の斜面に前記電源釦が配設された
ことを特徴とする撮像装置。
【請求項３】
請求項１に記載の撮像装置において、
前記撮像操作子の配設領域は、前記電源釦に対して前記撮像装置の中央寄りに配置するとともに、前記略Ｓ字形の頂部と前記第１の主面との間に第２の斜面が形成され、該第２の斜面に前記撮像操作子が配設された
ことを特徴とする撮像装置。
【請求項４】
請求項１に記載の撮像装置において、
前記頂部を、前記撮像操作子及び前記電源釦の上面より高くなるように形成した
ことを特徴とする撮像装置。
【請求項５】
請求項１に記載の撮像装置において、
前記電源釦に発光部を設けた
ことを特徴とする撮像装置。
【発明の詳細な説明】
【技術分野】
【０００１】
本発明は、小型のデジタルスチルカメラなどに用いることができる、省スペースで操作し易い撮像操作部構造を有する撮像装置に関する。
【背景技術】
【０００２】
近年デジタルスチルカメラは、銀塩フィルム用の例えば一眼レフカメラの代替を目指し、さまざまな撮影状況に対応できるようなオプション機能を備えたハイエンドユーザ向けのものと、より一般の消費者向けのものとの２極分化が進んでいる。
そして、後者においては、小電力化、記録媒体の小型化、専用の光学系・バッテリの採用などにより、従来はコンパクトカメラ程度の大きさであったものが、ワイシャツのポケットに収まる小ささでより高画質であることを目指して日々改良が進められている状況にある。
【０００３】
従来のコンパクトサイズのデジタルスチルカメラとしては、例えば特許文献１に開示されているものが知られている。この特許文献１に開示されている撮像装置（デジタルスチルカメラ）は、被写体に対向される撮像レンズの対物レンズが正面に配設された筐体と、この対物レンズを覆う位置と開放する位置との間で複数段階に移動可能にして筐体に取り付けられた蓋体と、被写体を写し出す被写体表示器と、を備え、蓋体の開放時の第１段階において対物レンズが開放され、蓋体の開放時の第２の段階又は第３の段階以上において被写体表示器が開放されるようにしたものである。
そして、この撮像装置では、蓋体（レンズカバー）は電源釦を兼ねているため、蓋体を移動させることで対物レンズを露呈させ撮影可能状態としたのち、上部に配されているシャッタ釦（撮像操作子）を押して撮影する。
【特許文献１】特開２００４−１８０１３７号公報（第２頁，図１）
【発明の開示】
【発明が解決しようとする課題】
【０００４】
しかしながら、特許文献１に開示されている撮像装置（デジタルスチルカメラ）は、前面に横方向にスライド移動することができる蓋体（レンズカバー）を有しているため撮像装置をより薄くするには限界があった。
そして、撮像装置の薄形化を主体としたコンパクト化を推し進めるとき、大きくスライドする蓋体（レンズカバー）と連動する電源スイッチの操作子を筐体の前面側に設けることができず、小さい筐体であっても実撮影に必要となる釦、スイッチをいかに配設するかが問題であった。特に、電源スイッチは、撮影の前後に操作され撮影途中では使用しないものであるため、操作して撮像装置を作動状態とした後の撮影のとき、撮影中断などの誤操作のおそれがなく撮影操作の支障にならないように配設する必要がある。
【０００５】
本発明はかかる点に鑑み、省スペースで操作し易く電源釦の誤操作のおそれがない撮像操作部構造を有する撮像装置を提案するものである。
【課題を解決するための手段】
【０００６】
上記課題を解決するため、本発明撮像装置は、略直方体の形状をし、第１の主面に撮像レンズを有し、第１の主面の対面にある第２の主面に画像モニタを有し、第１の主面と第２の主面の上側の面に撮像操作子を有するように構成した撮像装置において、上側の面に、撮像装置の電源釦と撮像操作子とを一まとめとした凸部を設けるとともに、電源釦の配設領域と撮像操作子の配設領域との間に、上方から見たとき略Ｓ字形状をなす頂部を設け、例えば、電源釦の配設領域は、上側の面の第２の主面と側面に近い端部に配置されるとともに、略Ｓ字形の頂部と第２の主面との間に第１の斜面が形成され、この第１の斜面に電源釦が配設され、撮像操作子の配設領域は、電源釦より撮像装置の中央寄りに配置するとともに、略Ｓ字形の頂部と第１の主面との間に第２の斜面が形成され、この第２の斜面に撮像操作子が配設されたものである。
【０００７】
このように構成した本発明撮像装置用の撮像操作部構造によれば、撮像装置の上の面の側面近くに配設される電源釦を跨ぐように指の第１及び第２関節を曲げ、指先の腹により撮像操作子を押下することができるとともに、略Ｓ字形の頂部で分離された撮像操作子の配設領域の、頂部から第１の主面の側に形成された斜面によって自然に指先が撮像操作子に導かれ、略Ｓ字形の頂部から第２の主面の側に形成された斜面の上に電源釦が大きく突出しないように配設されるので、撮像操作子の押下のときに誤操作をするおそれが大幅に低減され、撮像操作部の占有面積を小さくできるので撮像装置を薄くすることができる。
【０００８】
また本発明は、上記記載の撮像装置の撮像操作部構造において、頂部を、撮像操作子及び電源釦の上面より高くなるように形成するとともに、電源釦に撮影可能状態を明示する発光部を設けたものである。
【０００９】
このように構成した本発明撮像装置用の撮像操作部構造によれば、撮像装置の上の面で、撮像操作部では頂部が最も高く形成されるため、携行のときなどで誤って電源が入ってバッテリを消耗してしまうおそれを低減することができるとともに、電源釦の発光部により撮影の可否が一目で確認できる。
【発明の効果】
【００１０】
本発明によれば、電源釦が誤って操作されることによる撮影中断やバッテリの消耗などのおそれがなく、省スペースで操作し易い撮像操作部構造を有する撮像装置とすることができる。
【発明を実施するための最良の形態】
【００１１】
以下、本発明の撮像装置を実施するための最良の形態の例を、図１〜図８を参照して説明する。
図１及び図２は、本例の撮像装置であるデジタルスチルカメラを示し、図１は前面（第１の主面）側から、図２は背面（第２の主面）側から見た斜視図である。
【００１２】
図１及び図２において、２０はデジタルスチルカメラを示し、このデジタルスチルカメラ２０は、例えば大きさが幅９０ｍｍ，高さ６０ｍｍ，奥行（厚さ）１８ｍｍで、奥行／高さ＜１／３と小型で薄く形成されたものであり、図１及び図２に示すように、平板状で略直方体の筐体の、第１の主面となる前面２０-1と第２の主面となる背面２０-2とを連接する側面の四隅を円筒面状に面取りして連続した面としたあと、この側面の全周にわたって頂部を設けたものである。
【００１３】
すなわち、四隅が面取りされた直方体の側面において、先ず図１に示す上側面の側２０-3に、前面２０-1及び背面２０-2に略平行で前面２０-1により近くに面取りのための直線２０ｃ-1を設け、前面２０-1と背面２０-2とを連接するデジタルスチルカメラ２０の図２に示す底面の側２０-5に、前面２０-1及び背面２０-2に略平行で前面２０-1により近くに面取りのための直線２０ｃ-3を設ける。
そして、この上面の側２０-3に設定された直線２０ｃ-1と底面２０-5に設定された２０ｃ-3の両端を結び側面を通る最短の線を設定する。このとき、側面に設定される線は、四隅の円筒面で連綴される曲線が楕円の一部となり、側面の平坦部ではこの面を斜めに分割する直線２０ｃ-2，２０ｃ-4となる（図１及び図２参照）。
【００１４】
それから、図１及び図２に示すように、この連綴された直線２０ｃ-1，２０ｃ-2，２０ｃ-3，２０ｃ-4及び四隅の曲線を頂部として、この頂部に対して所定角度の傾斜をもつように、直線２０ｃ-1〜-4の前面２０-1の側に斜面２０ｄと背面２０-2の側に斜面２０ｅを形成する。なお、以下では、この四隅が面取りされた直方体の側面を一回りし、この連綴された直線２０ｃ-1，２０ｃ-2，２０ｃ-3，２０ｃ-4及び四隅の曲線による閉曲線を「稜線２０ｃ」という。
【００１５】
この結果、図１に示すように、筐体の最大高さを与えるため稜線２０ｃが本例のデジタルスチルカメラ２０の幅と高さの最大外形寸法を与えるものとなる。また、図１及び図２に示すように、撮像装置の上面の側２０-3で前面２０-1の側に幅広の斜面が形成され、さらにこの斜面に連続して両側面２０-4（図１），２０-6（図２）の側で略斜めに、底面の側２０-5に近づくに従い幅が狭くなる略逆三角形の斜面２０ｄが連設される。またこのとき、図１及び図２に示すように、デジタルスチルカメラ２０の側面２０-4，２０-6の背面２０-2の側に、底面の側２０-5に近づくに従い幅が広くなる略三角形の斜面２０ｅ（図２）が上面の側２０-3の斜面２０ｅに連設される。
なお、デジタルスチルカメラ２０の筐体は、図１及び図２に示す外形を稜線２０ｃで２分割して２部品とした形状に板状の金属がプレス成形されて作製される。
【００１６】
デジタルスチルカメラ２０は、図１及び図２に示すような形状とされた筐体の前面２０-1に、所定の穿孔がなされたのち、図示しないレンズバリア（保護板）が組み込まれた（撮像）レンズ２４が正面右上に配され、その脇にフラッシュ２２とセルフタイマーランプ（ＡＦイルミネータと兼用）２３が設けられる。
【００１７】
ここで、レンズ２４に組み込まれる図示しないレンズバリアは、薄い略円板で、円板の縁辺部に設けられた回動軸により、デジタルスチルカメラ２０が電源オフのとき閉状態で、電源オンのときに回動しレンズ２４が開放状態となるように設けられている。また、セルフタイマーランプ２３は、セルフタイマー撮影のときに点滅しその点滅間隔によりシャッタが動作するタイミングを被撮影者に知らせる機能とともに、暗所での自動焦点合わせ（ＡＦ：オートフォーカス）のための赤外線を照射するものである。
【００１８】
上面の側２０-3には撮像操作子であるシャッターボタン３６、ＰＯＷＥＲボタン３７を一まとめとした撮像操作部４９を設ける。
シャッターボタン３６は、図３Ａ及び図４に示すように、シャッターボタン３６上面が半径の等しい二つの円を共通外接線でつないだ形とし、長さが末節骨程度で幅を指先の略半分程度としたものであり、図示しない内部に電気的接点が組み込まれる。また、ＰＯＷＥＲボタン３７は、図３Ａ及び図４に示すように、操作上面が略円形ドーム状をなし、その中央にＬＥＤ（発光ダイオード）などによる発光部が設けられる。
【００１９】
撮像操作部４９は、略山形形状をなし、側面の一部拡大図３Ｃに示すように、デジタルスチルカメラ２０の上面の側２０-3に突部をなすように設けられ、デジタルスチルカメラ２０の前面２０-1の側近くに配されるシャッターボタン３６と背面２０-2の側近くに配されるＰＯＷＥＲボタン３７とが、平面図３Ａに示すように、ベース４８に所定の配置で組込まれる。
ベース４８は、拡大斜視図４に示すように、撮像操作部４９のシャッターボタン３６の配設領域とＰＯＷＥＲボタン３７の配設領域からなり、これらの領域は略Ｓ字形の頂部４９ａにより分割される。
【００２０】
ベース４８上で、ＰＯＷＥＲボタン３７の配設領域は、図３Ａに示すように、デジタルスチルカメラ２０の側面２０-4の近くで背面２０-1の側の斜面２０ｅ上に幅広に形成される。また、シャッターボタン３６の配設領域は、図３Ａに示すように、上面の側２０-3のＰＯＷＥＲボタン３７に対してデジタルスチルカメラ２０の中央寄りで前面２０-1の側近くの斜面２０ｄに幅広で長目に形成される。
そして、頂部４９ａを、図３Ｂ及び図４に示すように、シャッターボタン３６の配設領域で低く、ＰＯＷＥＲボタン３７の配設領域で高く形成し、シャッターボタン３６側の頂部４９ａから前面２０-1の側に幅広の斜面４８-1を形成し、ＰＯＷＥＲボタン３７側の頂部４９ａから背面２０-2の側に幅広の斜面４８-2を形成する。
【００２１】
そして、ベース４８上で斜面４８-1に、図４に示すように、シャッターボタン３６を設けるための長孔を形成し、この長孔の周りを面取りして斜面４８-1に対する凹部を設け、シャッターボタン３６がより大きな押下ストロークを得ることができるようにして、撮影のときのフォーカスロックなどの半押し状態を確実に行うことができるようにする。
一方、斜面４８-2に、ＰＯＷＥＲボタン３７を設けるための丸孔を形成し、この丸孔の周りを面取りして斜面４８-2に対する凹部を設け、ＰＯＷＥＲボタン３６の操作上面が斜面４８-2から大きく突出させなくても接点を確実にＯＮ／ＯＦＦできる押下ストロークを確保するようにする。
なお、図３Ａ及び図４で３５は、「フラッシュ撮影モード」あるいは「バッテリへの充電中」を表示するための発光インジケータである。
【００２２】
さらに、デジタルスチルカメラ２０の図１に示す左の側面２０-4には撮影のモード切替えスイッチ２７、リストストラップなどを装着するストラップ取付け部３２を設けている。
なお、本例のデジタルスチルカメラ２０に内蔵される光学系は、図示しないが、プリズムを用いて被写体の光学像を直角下方に曲げて撮像素子（ＣＣＤ）で結像させるようにし、デジタルスチルカメラ２０自体の厚みが小さくなるようにしている。
【００２３】
デジタルスチルカメラ２０の背面には、図２に示すように、液晶などを使用した画像モニタ２５とズーム（広角／望遠）ボタン２６、４方向矢印キーと中央の決定キーからなるコントロールボタン２８、画像のサイズ切替え／削除ボタン２９などが設けられている。
なお、３０は画面表示／ＬＣＤバックライトボタンであり、３１はアクセスランプであり、３３はスピーカーを示している。
【００２４】
そして、デジタルスチルカメラ２０の底の面２０-5には、図２に示すように、ケーブル付きプラグ４２が装着されるマルチ接続端子３８と、メモリ挿入口２０ａとバッテリ挿入口２０ｂ（図５Ａ〜Ｃ参照）を開閉自在に覆うバッテリ／メモリカバー３９が設けられている。
このバッテリ／メモリカバー３９は、図５Ａに示すように、通常は閉じておき、撮影時に必要に応じ、先ず図の矢印Ａ，Ｂの順に上方にスライドしてロックを外した後、手前に回動して開くことができる。そして、図５Ｂに示すように、露呈したメモリ挿入口２０ａとバッテリ挿入口２０ｂにメモリカード４０あるいはバッテリ４１を挿入する。それから、図５Ｃに示すように、図の矢印Ｃ，Ｄの順に手前から奥の方に回動してから下方にスライドしてロックして閉じることができる。
【００２５】
ここで使用されるメモリカード４０は、スティック状で不揮発性のメモリ素子が内蔵されたものでデジタルスチルカメラ２０に着脱自在に装着されるものである。また、バッテリ４１は、リチウムイオン２次電池などを小型化して、薄板状の略直方体形状としたものである。
このメモリカード４０の交換、挿入は、撮影中にメモリ内の画像ファイルが一杯になったときに行われ、バッテリ４１の交換、挿入は、撮影中に電池切れになったときなどに行われる。
【００２６】
このデジタルスチルカメラ２０では、メモリカード４０とバッテリ４１を装着したあと、ＰＯＷＥＲボタン３７を押すと撮影ができる状態となる。そして、図２に示すモード切替えスイッチ２７で所望の撮影モードとし、背面の画像モニタ２５で撮影画像を確認してシャッターボタン３６を押し、画像をメモリカード４０のメモリ素子に所定の画像サイズで記録保存する。
また、撮影した複数の画像は、コントロールボタン２８で再生して確認することができ、失敗したものは画像のサイズ切替え／削除ボタン２９で削除することができる。
【００２７】
このように構成したデジタルスチルカメラ２０は、メモリカード４０とバッテリ４１を装着したあと、先ず、図１に示す上面の側２０-3に配設されているＰＯＷＥＲボタン３７を指先で押下しＯＮとし、図示しないレンズバリアを開放状態にするとともに電気的に撮影できる状態とする。
そして、図１に示すモード切替えスイッチ２７で所望の撮影モードとしてから、デジタルスチルカメラ２０は図６に示すように保持され、背面２０-2の画像モニタ２５（図２参照）で被写体の撮影画像を確認してシャッターボタン３６を押下し、撮影画像データをデジタルスチルカメラ２０に装着されているメモリカード４０のメモリ素子に所定の画像サイズで記録保存する。
このようにして撮影した複数の画像は、コントロールボタン２８で再生して確認することができ、失敗したものは画像のサイズ切替え／削除ボタン２９で削除することができる。
【００２８】
このときのデジタルスチルカメラ２０の右手における保持は、図７に示すように、デジタルスチルカメラ２０の底面２０-5を手の平に当て、背面２０-2の親指６２と、前面２０-1の中指，薬指，小指とで行うことができる。そして、自由に動かすことができる人差し指６１でシャッターボタン３６を押下して操作することができる。
【００２９】
シャッターボタン３６を押下するとき、図８に示すように、人差し指の第１関節と第２関節が曲げられた状態で、人差し指の指先が斜め後方からＰＯＷＥＲボタン３７を跨ぐようにしてシャッターボタン３６の上面に当接し、第１関節〜第２関節とデジタルスチルカメラ２０との間に隙間を空けるようになされる。すなわち、シャッターボタン３６を押下するようにデジタルスチルカメラ２０を把持すると、自然に人差し指６１の第１関節〜第２関節とデジタルスチルカメラ２０との間に隙間を空けるようになされるとともに、略Ｓ字形の頂部４９ａで分離されたシャッターボタン３６の配設領域の、頂部４９ａから前面２０-1の側に形成された斜面４８-1によって自然に指先がシャッターボタン３６に導かれる。
【００３０】
また、シャッターボタン３６の配設領域の斜面４８-1に設けた長孔まわりの面取り状の凹部は、シャッターボタン３６の幅が指先の略半分程度で凹部の幅も指先の幅より小さく形成されるため、指先で斜面４８-1と凹部との境を感じるように押した段階が半押し状態となり、さらに押込むことによりシャッタ動作を行なわせることができる。このように本例のベース４８のシャッターボタン３６の配設領域の構造では、極めて自然に構え、シャッタ操作を行うことができる。
【００３１】
ＰＯＷＥＲボタン３７は、デジタルスチルカメラ２０上面の側２０-3で側面２０-4と背面２０-2の近くに配され、その頭部が斜面４８-2から大きく突出しないように設けられるため、シャッターボタン３６を押下する際に人差し指がＰＯＷＥＲボタン３７に触手しにくくなり、誤操作させるおそれが大幅に低減する。
また、図３Ｂ及び図３Ｃに示すように、デジタルスチルカメラ２０の上面の側２０-3では撮像操作部４９のＰＯＷＥＲボタン３７の側の頂部４９ａが最も高くなるので、通常の手扱いでも誤ってＰＯＷＥＲボタン３７が押下され作動するということが起こりにくくなる。
【００３２】
ここで、ＰＯＷＥＲボタン３７の配設領域の斜面４８-2に設けた丸孔まわりの面取り状の凹部は、スイッチ動作を起こす押下ストロークを大きくとることができるようにし、指の腹で斜面４８-2と凹部との境を感じる程度の押下量では動作させず、操作者は意図的に指先を立てて押し込んだり、ペンなどで押し込んだときにのみＰＯＷＥＲボタン３７が動作するようにして、誤動作が起こらないようにしている。
また、ＰＯＷＥＲボタン３７の上面に設けられる発光部３７ａは、電源オンのときに点灯し、光学ビューファインダを有するデジタルスチルカメラを画像モニタを用いない省エネルギーモードで使用する場合に動作可能かどうかが容易に判るようにしている。
【００３３】
なお、デジタルスチルカメラ２０の左手７０における保持は、前面２０-1の撮像レンズ２４と背面２０-2の画像モニタ２５に指が掛からないようにするため、図６に示すように、デジタルスチルカメラ２０の上面の側２０-3（図１参照）と底面の側（図２参照）とにより掴むようになされる。
【００３４】
本例の撮像装置によれば、撮像装置のデジタルスチルカメラ２０を保持し、シャッターボタン３６を押すように構えただけで、自然に右手６０の人差し指６１がＰＯＷＥＲボタン３７を跨ぐようにしてシャッターボタン３６に当接し、携行の際も撮像操作部４９の頂部４９ａがＰＯＷＥＲボタン３７の不測の作動を防止するようにできる。そして、シャッターボタン３６とＰＯＷＥＲボタン３７を一まとめとしてコンパクトに配設することができ、小型・薄形で操作性に優れた撮像装置とすることができる。
【００３５】
なお、本例の撮像装置では、プリズムを用いて直角下方に光を曲げる光学系を用いた例で説明したが、このような光学系に限らず、使用しないときは撮像用のレンズが本体内に収納され、撮影のときレンズが前方に繰り出される、いわゆる沈胴式のものにも使用できるのは勿論である。
【００３６】
また、本例の撮像装置として、メモリカード４０を用いたもので説明したが、メモリカード４０の代わりに光ディスクや光磁気ディスク、ハードディスクドライブ、ホログラムメモリなどのほかの記録媒体を用いた撮像装置に用いてもよいのは勿論である。
【００３７】
本発明の撮像装置用ケースは、上述例に限ることなく本発明の要旨を逸脱することなく、その他種々の構成をとり得ることは勿論である。
【図面の簡単な説明】
【００３８】
【図１】本発明の一実施の形態の例による撮像装置の斜視図（レンズバリア開）である。
【図２】本発明の一実施の形態の例による撮像装置を背面斜視図である。
【図３】本発明の一実施の形態の例による撮像装置の撮像操作部を一部拡大して示す、Ａは平面図、Ｂは正面図、Ｃは側面図である。
【図４】図３の撮像操作部の拡大斜視図である。
【図５】本発明の一実施の形態の例による撮像装置用ケースを装着する撮像装置の底のバッテリ／メモリカバーの、Ａは開操作、Ｂは装着走査、Ｃは閉操作の説明図である。
【図６】本発明の一実施の形態の例による撮像装置の撮影状態を示す説明図である。
【図７】本発明の一実施の形態の例による撮像装置の把持の説明図（側方視）である。
【図８】本発明の一実施の形態の例による撮像装置のシャッタ操作の説明図（背面視）である。
【符号の説明】
【００３９】
２０…デジタルスチルカメラ、２０-1…前面、２０-2…背面、２０-3…上側の面、３６…シャッターボタン、３７…ＰＯＷＥＲボタン、４８…ベース、４９ａ…頂部
【図１】
2006060702.tif 000003
【図２】
2006060702.tif 000004
【図３】
2006060702.tif 000005
【図４】
2006060702.tif 000006
【図５】
2006060702.tif 000007
【図６】
2006060702.tif 000008
【図７】
2006060702.tif 000009
【図８】
2006060702.tif 000010